(57)【要約】【課題】  顔面と首周りに充分な日よけ対策ができ、スポーツ等の屋外活動にも適した使い勝手のよい顔面と首の日よけカバーを提供する。【解決手段】（イ）顔面の鼻と耳から下の部分および首周りを覆う筒状の遮光布２（ロ）筒状遮光布２の上部前側に接合し顔面の目から下の部分を覆う帯状遮光布１（ハ）帯状遮光布１の下部中央に形成した呼気排出用開口部３（ニ）帯状遮光布１の上部両端部に突出形成し顔面の目の横を覆う遮光片４（ホ）帯状遮光布１の両端部に設け帯状遮光布１を耳に取付け固定する固定紐５  以上の構成からなることを特徴とする顔面と首の日よけカバー【特許請求の範囲】
【請求項１】
（イ）顔面の鼻と耳から下の部分および首周りを覆う筒状の遮光布２
（ロ）筒状遮光布２の上部前側に接合し顔面の目から下の部分を覆う帯状遮光布１
（ハ）帯状遮光布１の下部中央に形成した呼気排出用開口部３
（ニ）帯状遮光布１の上部両端部に突出形成し顔面の目の横を覆う遮光片４
（ホ）帯状遮光布１の両短部に設け帯状遮光布１を耳に取付け固定する固定紐５
以上の構成からなることを特徴とする顔面と首の日よけカバー
【請求項２】
帯状遮光布１の中央に鼻の形に沿った隆起部７を形成し、その下方に呼気排出用開口部３を形成したことを特徴とする請求項１記載の顔面と首の日よけカバー
【請求項３】
筒状遮光布２の上部中央にダーツ８を入れて遮光布と口との間に隙間を形成するようにしたことを特徴とする請求項１記載の顔面と首の日よけカバー
【発明の詳細な説明】
【技術分野】
【０００１】
本発明は、スポーツ時、屋外での作業時、外出時において、顔面や首の日よけを防止し、首すじを直射日光から遮り、熱中症を防止するカバーに関するものである。
【背景技術】
【０００２】
近年、シミ・しわの原因として紫外線による光老化が新聞・雑誌等で取り上げられることが多くなり、女性が紫外線を避けようとする意識が高まってきている。スポーツ時、自転車乗車時、作業時などは、日傘をさしたり、つばの大きな帽子をかぶることができない状況にあり、屋外でのスポーツを控える人も出てきている。また、紫外線防止用化粧品は、効果を持続させるために定期的なつけなおしが必要で手間がかかり、肌の弱い人には不向きであったりする。
【０００３】
このため、従来から、特許文献１に示すようなマスク型のカバーで顔面の目から下の部分を覆う日よけカバーや、特許文献２に示すように筒状に形成したカバーで、顔面だけではなく首周り全周も覆う日よけカバーが提案されている。
【先行技術文献】
【特許文献】
【０００４】
【特許文献１】実用新案登録第３１３６０８４号公報
【特許文献２】実用新案登録第３１１５９３８号公報
【発明の概要】
【発明が解決しようとする課題】
【０００５】
ところが、上記特許文献１に示すマスク型の日よけカバーは、シミのできやすい目の横、耳の下、首の下方・後方等が日よけカバーで覆われていないために、充分な日よけ対策ができていない問題があった。
【０００６】
上記特許文献２に示す筒状の日よけカバーは、耳の下や首周りは日よけカバーで覆われているものの、目の横は露出しており、充分な日よけ対策がされておらず、また、日よけカバーで耳まで覆われてしまっているため、スポーツに必要な外からの音声が聞こえ難くなり、しかも紐を使用して頭から外れないように留めているだけなので、スポーツのような激しい動きにより筒状の日よけカバーがずれて視界を塞ぐ等、スポーツ等の激しい動きを伴う屋外活動には不向きであり、自転車乗車時などは危険を伴うものであった。
【０００７】
本発明は、上記問題を解決するもので、顔面と首回りに充分な日よけ対策ができ、スポーツ等の屋外活動にも適した使い勝手のよい顔面と首の日よけカバーを提供することを目的とするものである。
【課題を解決するための手段】
【０００８】
請求項１記載の発明は、
（イ）顔面の鼻と耳から下の部分および首周りを覆う筒状の遮光布２
（ロ）筒状遮光布２の上部前側に接合し顔面の目から下の部分を覆う帯状遮光布１
（ハ）帯状遮光布１の下部中央に形成した呼気排出用開口部３
（ニ）帯状遮光布１の上部両端部に突出形成し顔面の目の横を覆う遮光片４
（ホ）帯状遮光布１の両端部に設け帯状遮光布１を耳に取付け固定する固定紐５
以上の構成からなることを特徴とするものである。
【０００９】
請求項２記載の発明は、帯状遮光布１の中央に鼻の形に沿った隆起部７を形成し、その下方に呼気排出用開口部３を形成することを特徴とするものである。
【００１０】
請求項３記載の発明は、筒状遮光布２の上部中央にダーツ８を入れて遮光布と口との間に隙間を形成するようにしたことを特徴とするものである。
【発明の効果】
【００１１】
請求項１の構成により、スポーツ時、帽子とサングラスの併用で、胸より上部の露出部分のほとんどを覆うことができるので、日光による熱やシミ・しわ・ガンの原因となる有害な紫外線を遮ることができる。特に、耳を覆っていないので、スポーツ用としても最適であり、しかも遮光片でシミのできやすい目の横を覆うことができ、且つ遮光片を形成した帯状遮光布の両端部を固定紐で耳に取付け固定しているので、スポーツ時の激しい動きにも遮光片が位置ずれして視界を塞ぐこともなく、有効に遮光できる。
【００１２】
また、筒状遮光布２は筒状になっているため、日陰で休憩するときには、耳から固定紐を外して全体を縮小して首周りにかけておくことができ、わざわざ遮光布を取外すことなく涼しく休憩できる等、使い勝手がよい。
【００１３】
請求項２の構成により、呼気排出用開口部が大きく形成され、新鮮な酸素が常に供給されるので鼻から呼吸がし易くなって、激しい呼吸時にも息苦しさを感じることはなく、また帯状遮光布の中央に鼻の形に自然に沿うように隆起が形成され、帯状遮光布上部から呼気がもれにくくなってメガネが曇らない。
【００１４】
請求項３の構成により、口と遮光布との間に隙間が形成されるので、口からの呼吸や会話も楽にできる。
【図面の簡単な説明】
【００１５】
【図１】本発明の実施例を示す正面斜め下方から見た斜視図である
【図２】同上の装着状態を示す側面図である。
【発明を実施するための形態】
【実施例】
【００１６】
以下、本発明の実施例を図１および図２に基づき説明する。本発明の基本的構成は、顔面の目の下から鼻までの部分を覆う帯状遮光布１と、顔面の鼻と耳から下の部分および首周りを覆う筒状遮光布２からなる。帯状遮光布１は、２枚の布の周囲３〜５ｍｍを縫い、２重にすることで、強度を増し、型崩れを防ぎ、紫外線カット効果も高まるようにしている。
【００１７】
帯状遮光布１は、筒状遮光布２の周囲の長さの約半分程度の長さであり、筒状遮光布２の上部前側に２〜５ｍｍ重なるように縫い合わせて接合し、また筒状遮光布２の上部後側には、筒状遮光布２を後頭部にフィットさせる伸縮手段６を構成するゴム紐を設け、スポーツ時の激しい動きに対しても筒状遮光布２がずれないようにしている。
【００１８】
帯状遮光布１の下部は円弧を描くように裁断し、筒状遮光布２の上部と縫い合わせている。その際、帯状遮光布１の下部中央を６〜７．５ｃｍ、筒状遮光布２の上部中央を５〜６．５ｃｍ縫わずにおくことで、帯状遮光布１が鼻の高さに沿って隆起し、その下方に呼気排出用開口部３が効果的に形成されるようにしている。帯状遮光布１を鼻の形に自然に沿うようにすることで、呼気が上部からもれずメガネが曇らないようにしている。
【００１９】
帯状遮光布１の両端部の上側に顔面の目の横を覆う遮光片４を山形状に突出形成すると共に、帯状遮光布１の両端部を１〜１．５ｍｍ折り返して縫い合わせ、帯状遮光布１を耳に取付け固定するゴム製の固定紐５を取付けている。このことにより、帯状遮光布１の両端部の遮光片４でシミのできやすい目の横を覆うことができ、且つ遮光片４を配設している帯状遮光布１の両端部を固定紐５で耳に取付け固定しているので、スポーツ時の激しい動きにも遮光片４が位置ずれして視界を塞ぐこともなく、有効に遮光できるのである。
【００２０】
筒状遮光布２は、その前側は鎖骨が隠れる程度に１４〜１７ｃｍと長くし、後側はうなじが隠れる程度に８〜１０ｃｍと短くしている。また、筒状遮光布２のすそは、その前面が体から少し離れるようにし、横面と後面は体に沿う自然なラインでカーブを描くのが好ましい。
【００２１】
筒状遮光布２の上部中央にダーツ８を入れて遮光布２と口との間に隙間を形成するようにしており、口と筒状遮光布２との間に隙間が形成されるので、口からの呼吸や会話も楽にできるのである。
【００２２】
２重にした遮光布１、２の外側の布地は通気性のよい素材でＵＶカット率が高く、吸湿、速乾で伸縮性のあるスポーツ用ニットにすることが好ましく、また内側の布地は、通気性のよいメッシュ素材にしてもよい。
【００２３】
なお、上記実施例では、筒状遮光布２は予め縫合して筒状に形成しているが、スナップボタン・ファスナー等の接合器具を用いて筒状に形成してもよい。また、上記実施例では、布地を縫い合わせて接合しているが、本発明はこれに限定されるものではなく、接着テープ等により接合してもよい。
【００２４】
本発明の顔面と首の日よけカバーは、テニス、ゴルフ、ランニング、ウォーキング、登山、スキーなど屋外でのスポーツに、農作業、ガーデニング、洗濯物干しなどの屋外作業に、更に自転車、バイクの乗車に、運動会やスポーツ観戦などの日傘の使えない機会等々に幅広く利用可能である。
【００２５】
更に、本発明の顔面と首の日よけカバーは、首すじを覆うため、直射日光による脳内温度上昇を防ぎ、熱中症対策としても有効である。また、本発明の顔面と首の日よけカバーは、日光に当たれない病気（ポルフィリン代謝障害、皮膚ガン、日光過敏症、膠原病、口唇ヘルペス）の患者用の医療器具としても利用可能であり、更に防寒にも用いることが可能である。
【符号の説明】
【００２６】
１      帯状遮光布
２      筒状遮光布
３      呼気排出用開口部
４      遮光片
５      固定紐
６      伸縮手段
７      隆起部
８      ダーツ
【図１】
2012149369.tif 000002
【図２】
2012149369.tif 000003
【手続補正書】
【提出日】平成24年2月7日(2012.2.7)
【手続補正１】
【補正対象書類名】特許請求の範囲
【補正対象項目名】請求項１
【補正方法】変更
【補正の内容】
【請求項１】
（イ）顔面の鼻と耳から下の部分および首周りを覆う筒状の遮光布２
（ロ）筒状遮光布２の上部前側に接合し顔面の目から下の部分を覆う帯状遮光布１
（ハ）帯状遮光布１の下部中央に形成した呼気排出用開口部３
（ニ）帯状遮光布１の上部両端部に突出形成し顔面の目の横を覆う遮光片４
（ホ）帯状遮光布１の両端部に設け帯状遮光布１を耳に取付け固定する固定紐５
以上の構成からなることを特徴とする顔面と首の日よけカバー
【手続補正３】
【補正対象書類名】明細書
【補正対象項目名】０００１
【補正方法】変更
【補正の内容】
【０００１】
本発明は、スポーツ時、屋外での作業時、外出時において、顔面や首の日焼けを防止し、首すじを直射日光から遮り、熱中症を防止するカバーに関するのもである。
【手続補正４】
【補正対象書類名】図面
【補正対象項目名】図２
【補正方法】変更
【補正の内容】
【図２】
2012149369.tif 000004
【手続補正書】
【提出日】平成24年4月25日(2012.4.25)
【手続補正１】
【補正対象書類名】特許請求の範囲
【補正対象項目名】請求項１
【補正方法】変更
【補正の内容】
【請求項１】
（イ）上端部が鼻と耳の下側に位置し耳を露出した状態で顔面の鼻と耳より下の領域および首周りを覆う筒状の遮光布２（ロ）筒状遮光布２の上端部に接合して顔面の耳より前側で且つ目の下から鼻までの領域を覆う帯状遮光布１（ハ）帯状遮光布１の下部中央に形成した呼気排出用開口部３（ニ）帯状遮光布１の上部両端部に突出形成し顔面の目の横を覆う遮光片４（ホ）帯状遮光布１の遮光片４を形成した両端部に設け帯状遮光布１を耳に取付け固定する固定紐５  以上の構成からなることを特徴とする顔面と首の日よけカバー
【手続補正２】
【補正対象書類名】明細書
【補正対象項目名】０００６
【補正方法】変更
【補正の内容】
【０００６】  上記特許文献２に示す筒状の日よけカバーは、顔面や首周りは日よけカバーで覆われているものの、目の横は露出しており、充分な日よけ対策がされておらず、また、日よけカバーで耳まで覆われてしまっているため、スポーツに必要な外からの音声が聞こえ難くなり、しかも紐を使用して頭から外れないように留めているだけなので、スポーツのような激しい動きにより筒状の日よけカバーがずれて視界を塞ぐ等、スポーツ等の激しい動きを伴う屋外活動には不向きであり、自転車乗車時などは危険を伴うものであった。
【手続補正３】
【補正対象書類名】明細書
【補正対象項目名】０００８
【補正方法】変更
【補正の内容】
【０００８】請求項１記載の発明は、（イ）上端部が鼻と耳の下側に位置し耳を露出した状態で顔面の鼻と耳より下の領域および首周りを覆う筒状の遮光布２（ロ）筒状遮光布２の上端部に接合して顔面の耳より前側で且つ目の下から鼻までの領域を覆う帯状遮光布１（ハ）帯状遮光布１の下部中央に形成した呼気排出用開口部３（ニ）帯状遮光布１の上部両端部に突出形成し顔面の目の横を覆う遮光片４（ホ）帯状遮光布１の遮光片４を形成した両端部に設け帯状遮光布１を耳に取付け固定する固定紐５以上の構成からなることを特徴とするものである。